(57)【要約】【課題】個人が容易かつ積極的に政治に参加し、議員の負担を軽減すること。【解決手段】個人の支援者から議員への献金をネットワーク２０経由で受け付けるステップと、献金済みの支援者に対して、政治に参加するための政治参加メニュー（アンケート参加、陳情、掲示板、選挙等）をネットワーク２０経由で支援者端末１０1に提示し、政治参加メニューを支援者に選択させるステップと、支援者により選択された政治参加メニューに基づいて、支援者をネットワーク２０経由で政治に参加させるステップとを含む。【選択図】        図１
2005216065.tif 000002
【特許請求の範囲】
【請求項１】
コンピュータに、
個人の支援者から議員への献金をオンライン経由で受け付ける献金受付工程と、
献金済みの支援者に対して、政治に参加するための政治参加メニューを前記オンライン経由で提示し、前記政治参加メニューを前記支援者に選択させる政治参加メニュー選択工程と、
前記支援者により選択された政治参加メニューに基づいて、前記支援者を前記オンライン経由で政治に参加させる政治参加工程と、
を実行させるための政治参加支援プログラム。
【請求項２】
前記政治参加メニューの一つは、前記議員から前記支援者に対するアンケートの参加であることを特徴とする請求項１に記載の政治参加支援プログラム。
【請求項３】
前記政治参加メニューの一つは、前記支援者から前記議員に対する陳情であることを特徴とする請求項１または２に記載の政治参加支援プログラム。
【請求項４】
前記政治参加メニューの一つは、前記支援者および前記議員で情報を共有するための電子掲示板への書き込みであることを特徴とする請求項１〜３のいずれか一つに記載の政治参加支援プログラム。
【請求項５】
前記政治参加メニューの一つは、前記オンライン経由で行われる選挙の投票であることを特徴とする請求項１〜４のいずれか一つに記載の政治参加支援プログラム。
【請求項６】
前記コンピュータに、前記議員の議員活動に関する議員活動報告情報を、前記オンライン経由で献金済みの各支援者へ報知する報知工程を実行させることを特徴とする請求項１〜５のいずれか一つに記載の政治参加支援プログラム。
【請求項７】
個人の支援者から議員への献金をオンライン経由で受け付ける献金受付工程と、
献金済みの支援者に対して、政治に参加するための政治参加メニューを前記オンライン経由で提示し、前記政治参加メニューを前記支援者に選択させる政治参加メニュー選択工程と、
前記支援者により選択された政治参加メニューに基づいて、前記支援者を前記オンライン経由で政治に参加させる政治参加工程と、
を含むことを特徴とする政治参加支援方法。
【請求項８】
個人の支援者から議員への献金をオンライン経由で受け付ける献金受付手段と、
献金済みの支援者に対して、政治に参加するための政治参加メニューを前記オンライン経由で提示し、前記政治参加メニューを前記支援者に選択させる政治参加メニュー選択手段と、
前記支援者により選択された政治参加メニューに基づいて、前記支援者を前記オンライン経由で政治に参加させる政治参加手段と、
を備えたことを特徴とする政治参加支援装置。
【請求項９】
前記政治参加メニューの一つは、前記議員から前記支援者に対するアンケートの参加であることを特徴とする請求項８に記載の政治参加支援装置。
【請求項１０】
前記政治参加メニューの一つは、前記支援者から前記議員に対する陳情であることを特徴とする請求項８または９に記載の政治参加支援装置。
【請求項１１】
前記政治参加メニューの一つは、前記支援者および前記議員で情報を共有するための電子掲示板への書き込みであることを特徴とする請求項８〜１０のいずれか一つに記載の政治参加支援装置。
【請求項１２】
前記政治参加メニューの一つは、前記オンライン経由で行われる選挙の投票であることを特徴とする請求項８〜１１のいずれか一つに記載の政治参加支援装置。
【請求項１３】
前記議員の議員活動に関する議員活動報告情報を、前記オンライン経由で献金済みの各支援者へ報知する報知手段を備えたことを特徴とする請求項８〜１２のいずれか一つに記載の政治参加支援装置。
【発明の詳細な説明】
【技術分野】
【０００１】
本発明は、個人の政治参加を支援するための政治参加支援プログラム、政治参加支援方法および政治参加支援装置に関するものであり、個人が容易かつ積極的に政治に参加することができ、議員の負担を軽減することができる政治参加支援プログラム、政治参加支援方法および政治参加支援装置に関するものである。
【背景技術】
【０００２】
近時では、政治における企業献金のあり方が問われる中で、個人の政治参加が必要とされている。個人の政治参加としては、議員を通じて民意を政治に反映させるために、個人の意見を議員に伝えたり、議員活動に注目したりすることが挙げられる。
【０００３】
また、議員は、議員活動の内容を記載した議員活動報告ビラを定期的に発行し、これを街頭で配布し、不特定多数の者に対して、自身の議員活動を報告している。
【０００４】
【特許文献１】特開２００３−３４５９３９号公報
【発明の開示】
【発明が解決しようとする課題】
【０００５】
ところで、わが国の憲法は、個人の尊重（１３条）を重視している。しかしながら、現実的には、議員の関心が大口の支援者である団体にばかり向いており、特殊利益の追求のみがなされている事例が散見され、個人よりも団体が政治の主役になっているという問題があった。また、個人レベルでの政治参加においては、「多額の献金が必要」、「特別なコネクションが必要」、「大変そう」等の認識が存在しており、依然としてしきいが高いという観念が根付いている。
【０００６】
他方、従来では、政党助成金制度が運用されることにより、運用前より、議員の政治資金が潤ってきたとは言うものの、所要の政治資金に満たない場合があり、やはり、団体による献金に頼らざるを得ないという事情もある。
【０００７】
また、従来においては、議員活動報告ビラの発行、配布に、多額のコストがかかり、献金額が少ない議員の負担が大きいという問題もあった。
【０００８】
本発明は、上記に鑑みてなされたものであって、個人が容易かつ積極的に政治に参加することができ、議員の負担を軽減することができる政治参加支援プログラム、政治参加支援方法および政治参加支援装置を提供することを目的とする。
【課題を解決するための手段】
【０００９】
上述した課題を解決し、目的を達成するために、本発明は、コンピュータに、個人の支援者から議員への献金をオンライン経由で受け付ける献金受付工程と、献金済みの支援者に対して、政治に参加するための政治参加メニューを前記オンライン経由で提示し、前記政治参加メニューを前記支援者に選択させる政治参加メニュー選択工程と、前記支援者により選択された政治参加メニューに基づいて、前記支援者を前記オンライン経由で政治に参加させる政治参加工程と、を実行させるための政治参加支援プログラムである。
【００１０】
また、本発明は、個人の支援者から議員への献金をオンライン経由で受け付ける献金受付工程と、献金済みの支援者に対して、政治に参加するための政治参加メニューを前記オンライン経由で提示し、前記政治参加メニューを前記支援者に選択させる政治参加メニュー選択工程と、前記支援者により選択された政治参加メニューに基づいて、前記支援者を前記オンライン経由で政治に参加させる政治参加工程と、を含むことを特徴とする。
【００１１】
また、本発明は、個人の支援者から議員への献金をオンライン経由で受け付ける献金受付手段と、献金済みの支援者に対して、政治に参加するための政治参加メニューを前記オンライン経由で提示し、前記政治参加メニューを前記支援者に選択させる政治参加メニュー選択手段と、前記支援者により選択された政治参加メニューに基づいて、前記支援者を前記オンライン経由で政治に参加させる政治参加手段と、を備えたことを特徴とする。
【発明の効果】
【００１２】
本発明によれば、個人の支援者から議員への献金をオンライン経由で受け付け、献金済みの支援者に対して、政治に参加するための政治参加メニューをオンライン経由で提示し、支援者により選択された政治参加メニューに基づいて、支援者をオンライン経由で政治に参加させることとしたので、しきいを下げ、献金を通じて、個人が容易かつ積極的に政治に参加することができるという効果を奏する。
【発明を実施するための最良の形態】
【００１３】
以下に、本発明にかかる政治参加支援プログラム、政治参加支援方法および政治参加支援装置の一実施例を図面に基づいて詳細に説明する。なお、この一実施例によりこの発明が限定されるものではない。
【実施例】
【００１４】
図１は、本発明にかかる一実施例の構成を示すブロック図である。同図には、個人の支援者からの献金をネットワークを介して受け付け、当該支援者が政治に容易かつ積極的に参加することを支援するための政治参加支援システムが図示されている。
【００１５】
この政治参加支援システムにおいて、支援者端末１０1〜１０nは、ある議員を支援する各支援者（個人）にそれぞれ操作されるコンピュータ端末であり、ネットワーク２０を介して、後述する政治参加支援装置４０にアクセス可能とされている。
【００１６】
これらの支援者端末１０1〜１０nは、コンピュータ本体、表示部（ＣＲＴ（Cathode Ray Tube）、ＬＣＤ（Liquid Crystal Display）等）、および入力部（キーボード、マウス等）から構成されており、通信機能、情報表示機能等を備えている。
【００１７】
議員端末３０は、上述したある議員により操作されるコンピュータ端末であり、ネットワーク２０を介して、政治参加支援装置４０にアクセス可能とされている。この議員端末３０は、コンピュータ本体、表示部（ＣＲＴ、ＬＣＤ等）、および入力部（キーボード、マウス等）から構成されており、通信機能、情報表示機能等を備えている。
【００１８】
政治参加支援装置４０は、支援者と議員との間を双方向で仲介し、支援者の政治参加を支援するための装置である。政治参加支援装置４０において、制御部４１は、各部を制御する。この制御部４１の動作の詳細については、後述する。記憶部４２は、制御部４１で用いられるコンピュータプログラムや各種情報を記憶する。通信部４３は、ネットワーク２０に接続されており、所定の通信プロトコルに従って通信を制御する。
【００１９】
支援者情報データベース５０は、支援者端末１０1〜１０nに対応する各支援者に関する支援者情報を格納するデータベースである。具体的には、支援者情報データベース５０は、図２に示したように、「支援者ＩＤ」、「パスワード」、「氏名」、「住所」、「職業」、「性別」、「生年月日」、「電話番号」、「電子メールアドレス」、「献金日」および「献金額」というフィールドを備えている。
【００２０】
「支援者ＩＤ」は、支援者を識別するための識別子である。「パスワード」は、支援者ＩＤとともに認証に用いられる。「氏名」は、当該支援者の氏名に関する情報である。「住所」は、当該支援者の住所に関する情報である。「職業」は、当該支援者の職業に関する情報である。
【００２１】
「性別」は、当該支援者の性別に関する情報である。「生年月日」は、当該支援者の生年月日に関する情報である。「電話番号」は、当該支援者の電話番号に関する情報である。「電子メールアドレス」は、支援者端末（支援者端末１０1〜１０nのうちいずれかの支援者端末）に付与された電子メールアドレスに関する情報である。「献金日」は、当該支援者が議員に個人として献金をした日付に関する情報である。「献金額」は、当該献金の額に関する情報である。
【００２２】
図１に戻り、アンケート情報データベース５１は、議員が各支援者に対して実施するアンケートの質問および回答に関するアンケート情報を格納するデータベースである。陳情情報データベース５２は、各支援者から議員に対して陳情された内容に関する陳情情報を格納するデータベースである。
【００２３】
掲示板情報データベース５３は、支援者（議員も含む）のみが閲覧や書き込みをすることが許可された電子掲示板に関する掲示板情報を格納するデータベースである。議員活動報告情報データベース５４は、議員から各支援者へ報告される議員活動（議会の内容等）に関する議員活動報告情報を格納するデータベースである。
【００２４】
決済システム５５は、支援者から議員への献金をクレジットカードで決済するためのシステムであり、ネットワーク２０に接続されている。政党システム５６は、議員が所属する政党で運用されるシステムであり、党首選挙の集計等を行う。
【００２５】
つぎに、一実施例の動作について、図３〜図６に示したフローチャート、図７〜図１９に示した各画面を参照しつつ説明する。以下では、支援者端末１０1に対応する支援者（例えば、日本太郎）が当該議員に献金し、アンケート、陳情、掲示板、議員活動報告等を通じて、政治に参加する場合について説明する。
【００２６】
図３は、図１に示した政治参加支援装置４０の動作を説明するフローチャートである。同図において、ステップＳＡ１では、政治参加支援装置４０の制御部４１は、支援者端末１０1〜１０n、議員端末３０からアクセスがあるか否かを判断し、この場合、判断結果を「Ｎｏ」として、同判断を繰り返す。
【００２７】
そして、日本太郎の操作により、支援者端末１０1がネットワーク２０を介して、政治参加支援装置４０にアクセスすると、制御部４１は、ステップＳＡ１の判断結果を「Ｙｅｓ」とする。なお、この時点では、日本太郎は、当該議員へ献金をしておらず、政治参加の未経験者である。
【００２８】
ステップＳＡ２では、制御部４１は、図７に示したメニュー画面６０を支援者端末１０1に表示させる。このメニュー画面６０は、支援者（未献金）、支援者（献金済み）および議員に閲覧される画面である。このメニュー画面６０には、献金受付ボタン６１、支援者用ボタン６２および議員用ボタン６３が表示されている。
【００２９】
献金受付ボタン６１は、支援者（未献金の個人）から議員へ献金する場合に押下されるボタンである。支援者用ボタン６２は、献金済みの支援者（個人）が政治参加する場合に押下されるボタンである。議員用ボタン６３は、議員が支援者（献金済み）に対して、政治活動を報告する場合に押下されるボタンである。
【００３０】
ステップＳＡ３では、制御部４１は、献金受付ボタン６１が押下されたか否かを判断し、っこの場合、判断結果を「Ｎｏ」とする。ステップＳＡ４では、制御部４１は、支援者用ボタン６２が押下されたか否かを判断し、この場合、判断結果を「Ｎｏ」とする。
【００３１】
ステップＳＡ５では、制御部４１は、議員用ボタン６３が押下されたか否かを判断し、この場合、判断結果が「Ｎｏ」とする。以後、制御部４１は、ステップＳＡ３〜ステップＳＡ５のうちいずれかのステップの判断結果が「Ｙｅｓ」となるまで、ステップＳＡ３〜ステップＳＡ５の判断を繰り返す。
【００３２】
そして、日本太郎（未献金の支援者）が献金すべく、献金受付ボタン６１を押下すると、制御部４１は、ステップＳＡ３の判断結果を「Ｙｅｓ」とする。ステップＳＡ６では、制御部４１は、献金受付処理を実行する。
【００３３】
具体的には、図４に示したステップＳＢ１では、制御部４１は、図８に示した献金額入力画面７０を支援者端末１０1に表示させる。ステップＳＢ２では、制御部４１は、献金額入力画面７０の次ページボタン７２が押下されたか否かを判断し、この場合、判断結果を「Ｎｏ」として、同判断を繰り返す。
【００３４】
そして、日本太郎は、１００００円を議員に献金すべく、献金額入力画面７０の献金額入力欄７１に献金額（１００００円）を入力した後、次ページボタン７２を押下する。これにより、制御部４１は、ステップＳＢ２の判断結果を「Ｙｅｓ」とする。
【００３５】
ステップＳＢ３では、制御部４１は、図９に示した支援者情報入力画面８０を支援者端末１０1に表示させる。この支援者情報入力画面８０は、日本太郎（支援者）に関する支援者情報を入力するための画面である。ステップＳＢ４では、制御部４１は、支援者情報入力画面８０の次ページボタン８２が押下されたか否かを判断し、この場合、判断結果を「Ｎｏ」として、同判断を繰り返す。
【００３６】
そして、日本太郎は、支援者情報入力画面８０の支援者情報入力欄８１に支援者情報として、氏名、住所、・・・、電子メールアドレスを入力した後、次ページボタン８２を押下する。これにより、制御部４１は、ステップＳＢ４の判断結果を「Ｙｅｓ」とする。
【００３７】
ステップＳＢ５では、制御部４１は、図１０に示したクレジットカード情報入力画面９０を支援者端末１０1に表示させる。このクレジットカード情報入力画面９０は、かかる献金を決済するためのクレジットカードに関するクレジットカード情報を入力するための画面である。なお、一実施例においては、クレジットカード決済の他に、銀行振り込み等の決済により、献金を行う構成例としてもよい。
【００３８】
ステップＳＢ６では、制御部４１は、クレジットカード情報入力画面９０の次ページボタン９２が押下されたか否かを判断し、この場合、判断結果を「Ｎｏ」として、同判断を繰り返す。
【００３９】
そして、日本太郎は、クレジットカード情報入力画面９０のクレジットカード情報入力欄９１にクレジットカード情報として、クレジットカード種別、カード番号および有効期限を入力した後、次ページボタン９２を押下する。これにより、制御部４１は、ステップＳＢ６の判断結果を「Ｙｅｓ」とする。
【００４０】
ステップＳＢ７では、制御部４１は、図１１に示した確認画面１００を支援者端末１０1に表示させる。この確認画面１００は、支援者情報、献金額、決済方法等を支援者に確認させるための画面である。ステップＳＢ８では、制御部４１は、確認画面１００のキャンセルボタン１０２が押下されたか否かを判断し、この場合、判断結果を「Ｎｏ」とする。
【００４１】
ステップＳＢ９では、制御部４１は、確認画面１００の確認ボタン１０１が押下されたか否かを判断し、この場合、判断結果を「Ｎｏ」とする。以後、制御部４１は、ステップＳＢ８またはステップＳＢ９の判断結果が「Ｙｅｓ」となるまで、ステップＳＢ８およびステップＳＢ９の判断を繰り返す。
【００４２】
そして、日本太郎により、確認ボタン１０１が押下されると、制御部４１は、ステップＳＢ９の判断結果を「Ｙｅｓ」とする。なお、キャンセルボタン１０２が押下された場合には、献金がキャンセルされ、制御部４１は、ステップＳＢ８の判断結果を「Ｙｅｓ」とする。
【００４３】
ステップＳＢ１０では、制御部４１は、当該支援者に対応する支援者ＩＤおよびパスワードを採番した後、図１２に示した献金完了画面１１０を支援者端末１０1に表示させる。この献金完了画面１１０は、献金が完了した旨および支援者ＩＤおよびパスワードを支援者に報知するための画面である。ステップＳＢ１１では、制御部４１は、献金完了画面１１０の確認ボタン１１１が押下されたか否かを判断し、この場合、判断結果を「Ｎｏ」として、同判断を繰り返す。
【００４４】
そして、日本太郎により、支援者ＩＤおよびパスワードが紙等に記録された後、確認ボタン１１１が押下されると、制御部４１は、ステップＳＢ１１の判断結果を「Ｙｅｓ」とする。ステップＳＢ１２では、制御部４１は、決済システム５５に当該献金額（１００００円）の決済を依頼する。
【００４５】
これにより、決済システム５５は、当該献金額を議員の金融機関口座へ入金し、決済処理を実行する。ステップＳＢ１３では、制御部４１は、日本太郎に対応する支援者情報を支援者情報データベース５０（図２参照）に格納した後、献金受付処理を終了し、図３に示したメインルーチンへ戻る。
【００４６】
また、日本太郎は、献金済みで党員資格が与えられ、政治に参加することができる。すなわち、日本太郎は、上述した動作を経て、支援者端末１０1から政治参加支援装置４０にアクセスする。これにより、政治参加支援装置４０の制御部４１は、図３に示したステップＳＡ１の判断結果を「Ｙｅｓ」とする。ステップＳＡ２では、制御部４１は、図７に示したメニュー画面６０を支援者端末１０1に表示させる。
【００４７】
そして、日本太郎（献金済み）により、政治に参加すべく、支援者用ボタン６２が押下されると、制御部４１は、ステップＳＡ４の判断結果を「Ｙｅｓ」とする。ステップＳＡ７では、制御部４１は、日本太郎（献金済み）が政治に参加することを支援する支援者用処理を実行する。具体的には、図５に示したステップＳＣ１では、制御部４１は、図１３に示した認証画面１２０を支援者端末１０1に表示させる。ステップＳＣ２では、制御部４１は、日本太郎（献金済み）により、認証画面１２０の認証情報入力欄１２１に認証情報として支援者ＩＤおよびパスワードが入力された後、確認ボタン１２２が押下されかつ認証されたか否かを判断する。
【００４８】
ここで、確認ボタン１２２が押下されると、制御部４１は、認証情報入力欄１２１の認証情報と支援者情報データベース５０（図２参照）とを照合する。この場合、照合結果が一致で認証されたものとすると、制御部４１は、ステップＳＣ２の判断結果を「Ｙｅｓ」とする。なお、ステップＳＣ２の判断結果が「Ｎｏ」である場合、制御部４１は、図３に示したメインルーチンへ戻る。
【００４９】
ステップＳＣ３では、制御部４１は、図１４に示した支援者専用画面１３０を支援者端末１０1表示させる。この支援者専用画面１３０は、アンケート、陳情、掲示板、選挙という政治参加のためのメニューに関する画面である。この支援者専用画面１３０には、アンケート参加ボタン１３１、陳情ボタン１３２、掲示板ボタン１３３および選挙ボタン１３４が表示されている。
【００５０】
アンケート参加ボタン１３１は、議員から支援者（献金済み）に対して実施される政治的なアンケートに参加する場合に押下されるボタンである。陳情ボタン１３２は、支援者（献金済み）から議員へ陳情を行う場合に押下されるボタンである。掲示板ボタン１３３は、支援者および議員で情報共有するための電子掲示板への書き込み等や閲覧を行う場合に押下されるボタンである。選挙ボタン１３４は、当該議員が属する政党の選挙に参加する場合に押下されるボタンである。
【００５１】
ステップＳＣ４では、制御部４１は、アンケート参加ボタン１３１が押下されたか否かを判断し、この場合、判断結果を「Ｎｏ」とする。ステップＳＣ５では、制御部４１は、陳情ボタン１３２が押下されたか否かを判断し、この場合、判断結果を「Ｎｏ」とする。ステップＳＣ６では、制御部４１は、掲示板ボタン１３３が押下されたか否かを判断し、この場合、判断結果を「Ｎｏ」とする。
【００５２】
ステップＳＣ７では、制御部４１は、選挙ボタン１３４が押下されたか否かを判断し、この場合、判断結果を「Ｎｏ」とする。以後、制御部４１は、ステップＳＣ４〜ステップＳＣ７のうちいずれか一つのステップの判断結果が「Ｙｅｓ」となるまで、ステップＳＣ４〜ステップＳＣ７の判断を繰り返す。
【００５３】
そして、日本太郎により、アンケート参加ボタン１３１が押下されると、制御部４１は、ステップＳＣ４の判断結果を「Ｙｅｓ」とする。ステップＳＣ８では、制御部４１は、図１５に示したアンケート参加画面１４０を支援者端末１０1に表示させる。このアンケート参加画面１４０は、議員により作成され、政治的な問題（同図では、死刑制度の存続について）について民意を問うためのアンケートを実施するための画面である。
【００５４】
ステップＳＣ９では、制御部４１は、アンケート参加画面１４０のアンケート回答ボタン１４１が押下されたか否かを判断し、この場合、判断結果を「Ｎｏ」として、同判断を繰り返す。
【００５５】
そして、日本太郎により、アンケート参加画面１４０の各回答欄にアンケートの回答が入力された後、アンケート回答ボタン１４１が押下されると、制御部４１は、ステップＳＣ９の判断結果を「Ｙｅｓ」とする。ステップＳＣ１０では、制御部４１は、アンケート参加画面１４０での質問および回答を日本太郎に対応付けてアンケート情報として、アンケート情報データベース５１に格納した後、図３に示したメインルーチンへ戻る。このアンケート情報は、議員端末３０を通じて当該議員に閲覧される。
【００５６】
また、日本太郎により、図１４に示した陳情ボタン１３２が押下されると、制御部４１は、ステップＳＣ５の判断結果を「Ｙｅｓ」とする。ステップＳＣ１１では、制御部４１は、図１６に示した陳情画面１５０を支援者端末１０1に表示させる。この陳情画面１５０は、分野別に政治で解決してほしい問題を当該議員に陳情するための画面である。
【００５７】
ステップＳＣ１２では、制御部４１は、陳情画面１５０の確認ボタン１５２が押下されたか否かを判断し、この場合、判断結果を「Ｎｏ」として、同判断を繰り返す。
【００５８】
そして、日本太郎により、陳情画面１５０の陳情内容入力欄１５１に陳情の内容が入力された後、確認ボタン１５２が押下されると、制御部４１は、ステップＳＣ１２の判断結果を「Ｙｅｓ」とする。ステップＳＣ１３では、制御部４１は、陳情画面１５０で入力された陳情内容を日本太郎に対応付けて陳情情報として、陳情情報データベース５２に格納した後、図３に示したメインルーチンへ戻る。この陳情情報は、議員端末３０を通じて当該議員に閲覧される。
【００５９】
また、日本太郎により、図１４に示した掲示板ボタン１３３が押下されると、制御部４１は、ステップＳＣ６の判断結果を「Ｙｅｓ」とする。ステップＳＣ１４では、制御部４１は、図１７に示した掲示板画面１６０を支援者端末１０1に表示させる。この掲示板画面１６０は、支援者（献金済み）および議員との間で政治に関する情報を書き込み、共有するための画面である。
【００６０】
ステップＳＣ１５では、制御部４１は、掲示板画面１６０の書き込みボタン１６２が押下されたか否かを判断し、この場合、判断結果を「Ｎｏ」として、同判断を繰り返す。
【００６１】
そして、日本太郎により、掲示板画面１６０の書き込み欄１６１に掲示すべき内容が書き込まれた後、書き込みボタン１６２が押下されると、制御部４１は、ステップＳＣ１５の判断結果を「Ｙｅｓ」とする。ステップＳＣ１６では、制御部４１は、書き込み欄１６１に書き込まれた内容を掲示板画面１６０に掲示するとともに、日本太郎に対応付けて掲示板情報として、掲示板情報データベース５３に格納した後、図３に示したメインルーチンへ戻る。この掲示板画面１６０は、議員端末３０を通じて当該議員に閲覧される。
【００６２】
また、日本太郎により、図１４に示した選挙ボタン１３４が押下されると、制御部４１は、ステップＳＣ７の判断結果を「Ｙｅｓ」とする。ステップＳＣ１７では、制御部４１は、図１８に示した選挙画面１７０を支援者端末１０1に表示させる。この選挙画面１７０は、当該議員が属する政党の党首選挙に、支援者（献金済み）が参加（投票）するための画面である。この選挙画面１７０には、３名の党首候補が表示されている。
【００６３】
ステップＳＣ１８では、制御部４１は、選挙画面１７０の投票ボタン１７１が押下されたか否かを判断し、この場合、判断結果を「Ｎｏ」として、同判断を繰り返す。
【００６４】
そして、日本太郎により、選挙画面１７０で佐藤一郎が党首として選択された後、投票ボタン１７１が押下されると、制御部４１は、ステップＳＣ１８の判断結果を「Ｙｅｓ」とする。ステップＳＣ１９では、制御部４１は、日本太郎に対応付けて投票情報（佐藤一郎）を政党システム５６へ送信した後、図３に示したメインルーチンへ戻る。政党システム５６では、図示しない他の政治参加支援装置からの投票結果も受けて、開票する。
【００６５】
また、当該議員は、議員活動を各支援者（献金済み）に報告すべく、議員端末３０を操作して、政治参加支援装置４０にアクセスする。これにより、政治参加支援装置４０の制御部４１は、図３に示したステップＳＡ１の判断結果を「Ｙｅｓ」とする。ステップＳＡ２では、制御部４１は、図７に示したメニュー画面６０を議員端末３０に表示させる。
【００６６】
ここで、議員により、議員用ボタン６３が押下されると、制御部４１は、ステップＳＡ５の判断結果を「Ｙｅｓ」とする。ステップＳＡ８では、制御部４１は、議員用処理を実行する。
【００６７】
具体的には、ステップＳＤ１では、制御部４１は、議員端末３０に認証画面（図示略）を表示させ、この認証画面に議員ＩＤおよびパスワードを入力させた後、認証を行う。ステップＳＤ２では、制御部４１は、認証されたか否かを判断し、この場合、判断結果を「Ｙｅｓ」とする。なお、ステップＳＤ２の判断結果が「Ｎｏ」である場合、制御部４１は、図３に示したメインルーチンへ戻る。
【００６８】
ステップＳＤ３では、制御部４１は、図１９に示した議員活動報告画面１８０を議員端末３０に表示させる。この議員活動報告画面１８０は、議員活動の内容を入力するための画面である。ステップＳＤ４では、制御部４１は、議員活動報告画面１８０の送信ボタン１８２が押下されたか否かを判断し、この場合、判断結果を「Ｎｏ」として、同判断を繰り返す。
【００６９】
そして、当該議員は、議員活動入力欄１８１に議員活動の内容を入力した後、送信ボタン１８２を押下する。これにより、制御部４１は、ステップＳＤ４の判断結果を「Ｙｅｓ」とする。ステップＳＤ５では、制御部４１は、議員活動入力欄１８１に入力された内容を議員活動報告情報として、議員活動報告情報データベース５４に格納する。
【００７０】
ステップＳＤ６では、制御部４１は、支援者情報データベース５０（図２参照）から氏名および電子メールアドレスを抽出し、これらからなるメーリングリストを作成する。ステップＳＤ７では、制御部４１は、かかる議員活動報告情報をメーリングリスト宛に送信する。これにより、政治参加支援装置４０から支援者端末１０1〜１０nには、議員活動報告情報が電子メールとして、送信される。各支援者は、議員活動報告情報（電子メール）により、当該議員の活動を把握する。
【００７１】
なお、上述した一実施例においては、献金完了画面１１０（図１２参照）を参照して説明したように、支援者が議員に対して献金した場合に、○×党の党員資格が与えられる構成例について説明したが、図２０に示した入党確認画面１９０により、献金と○×党への入党とを分ける構成例としてもよい。
【００７２】
この構成例において、政治参加支援装置４０の制御部４１は、献金完了画面１１０（図１２参照）の確認ボタン１１１が押下されると、図２０に示した入党確認画面１９０を支援者端末１０1に表示させる。この入党確認画面１９０は、当該支援者に対して、○×党への入党するか否かの意思確認をするための画面である。
【００７３】
入党する場合、支援者は、入党ボタン１９１を押下する。これにより、入党に必要な情報や党費の支払いに関する案内画面が支援者端末１０1に表示される。支援者は、前述したクレジットカード等により党費を支払うことにより、党員資格が付与され、党首選挙等へ参加することができる。なお、入党しない場合、支援者は、キャンセルボタン１９２を押下する。この場合、入党していない支援者は、図１４および図１８を参照して説明した党首選挙に参加することができない。
【００７４】
また、一実施例においては、○×党に入党していない支援者が、アンケート参加画面１４０（図１５参照）、陳情画面１５０（図１６参照）、掲示板画面１６０（図１７参照）、議員活動報告画面１８０（図１９参照）に対応する電子メールを閲覧する場合に、これらの画面や電子メールに○×党への入党を勧誘するための情報を表示させる構成例としてもよい。
【００７５】
以上説明したように、一実施例によれば、個人の支援者から議員への献金をネットワーク２０経由で受け付け、献金済みの支援者に対して、政治に参加するための政治参加メニュー（アンケート参加、陳情、掲示板、選挙等：図１４参照）をネットワーク２０経由で提示し、支援者により選択された政治参加メニューに基づいて、支援者をネットワーク２０経由で政治に参加させることとしたので、しきいを下げ、献金を通じて、個人が容易かつ積極的に政治に参加することができる。
【００７６】
また、一実施例によれば、図１９を参照して説明したように、議員の議員活動に関する議員活動報告情報を、ネットワーク２０経由で献金済みの各支援者へ報知することとしたので、ビラの配布が不要となり、議員の負担を軽減することができる。
【００７７】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【００７８】
例えば、前述した一実施例においては、政治参加支援装置４０の機能を実現するためのプログラムを図２１に示したコンピュータ読み取り可能な記録媒体３００に記録して、この記録媒体３００に記録されたプログラムを同図に示したコンピュータ２００に読み込ませ、実行することにより各機能を実現してもよい。
【００７９】
同図に示したコンピュータ２００は、上記プログラムを実行するＣＰＵ（Central Processing Unit）２１０と、キーボード、マウス等の入力装置２２０と、各種データを記憶するＲＯＭ（Read Only Memory）２３０と、演算パラメータ等を記憶するＲＡＭ（Random Access Memory）２４０と、記録媒体３００からプログラムを読み取る読取装置２５０と、ディスプレイ、プリンタ等の出力装置２６０とから構成されている。
【００８０】
ＣＰＵ２１０は、読取装置２５０を経由して記録媒体３００に記録されているプログラムを読み込んだ後、プログラムを実行することにより、前述した機能を実現する。なお、記録媒体３００としては、光ディスク、フレキシブルディスク、ハードディスク等が挙げられる。
【産業上の利用可能性】
【００８１】
以上のように、本発明にかかる政治参加支援プログラム、政治参加支援方法および政治参加支援装置は、個人の献金を通じた政治への参加支援に対して有用である。
【図面の簡単な説明】
【００８２】
【図１】本発明にかかる一実施例の構成を示すブロック図である。
【図２】図１に示した支援者情報データベース５０のテーブル構造を示す図である。
【図３】図１に示した政治参加支援装置４０の動作を説明するフローチャートである。
【図４】図３に示した献金受付処理を説明するフローチャートである。
【図５】図３に示した支援者用処理を説明するフローチャートである。
【図６】図３に示した議員用処理を説明するフローチャートである。
【図７】同一実施例におけるメニュー画面６０を示す図である。
【図８】同一実施例における献金額入力画面７０を示す図である。
【図９】同一実施例における支援者情報入力画面８０を示す図である。
【図１０】同一実施例におけるクレジットカード情報入力画面９０を示す図である。
【図１１】同一実施例における確認画面１００を示す図である。
【図１２】同一実施例における献金完了画面１１０を示す図である。
【図１３】同一実施例における認証画面１２０を示す図である。
【図１４】同一実施例における支援者専用画面１３０を示す図である。
【図１５】同一実施例におけるアンケート参加画面１４０を示す図である。
【図１６】同一実施例における陳情画面１５０を示す図である。
【図１７】同一実施例における掲示板画面１６０を示す図である。
【図１８】同一実施例における選挙画面１７０を示す図である。
【図１９】同一実施例における議員活動報告画面１８０を示す図である。
【図２０】同一実施例における入党確認画面１９０を示す図である。
【図２１】同一実施例の変形例の構成を示すブロック図である。
【符号の説明】
【００８３】
１０1〜１０n  支援者端末
２０  ネットワーク
３０  議員端末
４０  政治参加支援装置
４１  制御部
５０  支援者情報データベース
５１  アンケート情報データベース
５２  陳情情報データベース
５３  掲示板情報データベース
５４  議員活動報告情報データベース
５５  決済システム
５６  政党システム
【図１】
2005216065.tif 000003
【図２】
2005216065.tif 000004
【図３】
2005216065.tif 000005
【図４】
2005216065.tif 000006
【図５】
2005216065.tif 000007
【図６】
2005216065.tif 000008
【図７】
2005216065.tif 000009
【図８】
2005216065.tif 000010
【図９】
2005216065.tif 000011
【図１０】
2005216065.tif 000012
【図１１】
2005216065.tif 000013
【図１２】
2005216065.tif 000014
【図１３】
2005216065.tif 000015
【図１４】
2005216065.tif 000016
【図１５】
2005216065.tif 000017
【図１６】
2005216065.tif 000018
【図１７】
2005216065.tif 000019
【図１８】
2005216065.tif 000020
【図１９】
2005216065.tif 000021
【図２０】
2005216065.tif 000022
【図２１】
2005216065.tif 000023